(57)【要約】【課題】温度を快速に下げることができる放熱モジュールを提供する。【解決手段】放熱フィン組２を設けた台座１を有し、放熱フィン組２には多数の放熱フィン２１が並列しており、各放熱フィン２１の間は同様なギャップ２２を有する。放熱フィン組２のなかには案内部材４が嵌められており、案内部材４の両側は別々に各放熱フィン２１のギャップ２２に挿入された多数の案内片４１を有する。各案内片４１は各ギャップ２２の頂端から下へ傾斜して底端まで伸び、ギャップ２２のなかのエアの流動方向を案内する。したがって、放熱モジュールは、エアがギャップ２２のなかで環流を形成せず、ひいては、各放熱フィン２１まで伝導されてきた熱を有効に放熱して温度を低減するため、より優れた放熱効果を得ることができる【選択図】　　図１
0003096855.tif 000002
【実用新案登録請求の範囲】
【請求項１】
放熱フィン組を設けた台座を有し、前記放熱フィン組には多数の放熱フィンが並列しており、前記各放熱フィンの間は同様なギャップを有し、前記放熱フィン組のなかには案内部材が嵌められており、前記案内部材の両側は別々に前記各放熱フィンのギャップに挿入された多数の案内片を有し、前記各案内片は前記各ギャップの頂端から下へ傾斜して底端まで伸び、前記ギャップのなかのエアの流動方向が案内されることを特徴とする放熱モジュール。
【請求項２】
前記放熱フィン組の頂端の中央部は、案内部材を嵌めるための嵌め溝を有することを特徴とする請求項１に記載の放熱モジュール。
【請求項３】
前記案内部材の各案内片は、それぞれやや窪んだ円弧面を有することを特徴とする請求項１に記載の放熱モジュール。
【請求項４】
前記台座は、前記放熱フィン組を収容するための上へ開口した収容窪みを有し、前記放熱フィン組は金属片から一体に曲がって多数の中空の放熱フィンを連続で形成し、前記各放熱フィンの底部はそれぞれ連接面により連接され、前記放熱フィン組は更に前記台座の収容窪みのなかに嵌められるための嵌合ブロックを有し、前記嵌合ブロックは別々に前記各放熱フィンを底部の連接面まで嵌め込むための多数の嵌め溝を有することを特徴とする請求項１に記載の放熱モジュール。
【請求項５】
前記放熱フィン組は、多数の中空でない放熱フィンを有し、前記各放熱フィンの底部はそれぞれ底面により連接されていることを特徴とする請求項１に記載の放熱モジュール。
【考案の詳細な説明】
【０００１】
【考案の属する技術分野】
本考案は、放熱モジュールに係り、特に、エアの流動方向を案内するための案内部材を有することにより、温度を快速に下げることができる放熱モジュールに関する。
【０００２】
【従来の技術】
図５に示すのは、従来の放熱モジュールであり、台座７を有し、前記台座７には多数の並列した放熱フィン７１が設けられており、なお、エアを流通するために各放熱フィン７１の間は別々にギャップ７２を有する。上記構成を有する放熱モジュールを放熱必要な部材（例えば、パソコンのＣＰＵまたは熱伝導リード）に組み付け、また、放熱ファン８を前記放熱モジュールに組み付け、前記放熱ファン７によりエアを各放熱フィン７１のギャップ７２のなかで流動させ、台座７まで伝導されてきた熱を放熱することができる。
【０００３】
【考案が解決しようとする課題】
これは、次のような欠点があった。
上記放熱モジュールの台座７は平面であるので、放熱ファン８が運転している際に、流動されたエアが台座８に着くと、反発の圧力が発生するため、エアが各放熱フィン７１の間のギャップ７２のなかに環流を形成し、放熱効率が低下し、放熱フィン７１まで伝導されてきた熱が有効に放熱できない。
【０００４】
【課題を解決するための手段】
上記欠点を解決するためになされた本考案の請求項１は、放熱フィン組を設けた台座を有し、前記放熱フィン組には多数の放熱フィンが並列しており、前記各放熱フィンの間は同様なギャップを有し、なお、前記放熱フィン組のなかには案内部材が嵌められており、前記案内部材の両側は別々に前記各放熱フィンのギャップに挿入された多数の案内片を有し、前記各案内片は前記各ギャップの頂端から下へ傾斜して底端まで伸び、前記ギャップのなかのエアの流動方向を案内することを特徴とする放熱モジュールであることを要旨としている。
【０００５】
本考案の請求項２では、前記放熱フィン組の頂端の中央部は案内部材を嵌めるための嵌め溝を有することを特徴とする請求項１に記載の放熱モジュールであることを要旨としている。
【０００６】
本考案の請求項３では、前記案内部材の各案内片はそれぞれやや窪んだ円弧面を有することを特徴とする請求項１に記載の放熱モジュールであることを要旨としている。
【０００７】
本考案の請求項４では、前記台座は前記放熱フィン組を収容するための上へ開口した収容窪みを有し、前記放熱フィン組は金属片から一体に曲がって多数の中空の放熱フィンを連続で形成し、前記各放熱フィンの底部はそれぞれ連接面により連接され、なお、前記放熱フィン組は更に前記台座の収容窪みのなかに嵌められるための嵌合ブロックを有し、前記嵌合ブロックは別々に前記各放熱フィンを底部の連接面まで嵌め込むための多数の嵌め溝を有することを特徴とする請求項１に記載の放熱モジュールであることを要旨としている。
【０００８】
本考案の請求項５では、前記放熱フィン組は多数の中空でない放熱フィンを有し、前記各放熱フィンの底部はそれぞれ底面により連接されていることを特徴とする請求項１に記載の放熱モジュールであることを要旨としている。
【０００９】
【考案の実施の形態】
図１から図３を参照する。本考案の一実施例による放熱モジュールは、放熱フィン組を設けた台座１を有し、前記台座１は前記放熱フィン組２を収容するための上へ開口した収容窪み１１を有し、本実施例では、前記放熱フィン組２は金属片から一体に曲げられて多数の中空の放熱フィン２１を連続で形成し、前記各放熱フィン２１の底部はそれぞれ連接面２３により連接されている。
【００１０】
前記放熱フィン組２は更に前記台座１の収容窪み１１のなかに嵌められるための嵌合ブロック３を有し、前記嵌合ブロック３は別々に前記各放熱フィン２１を底部の連接面２３まで嵌め込むための多数の嵌め溝３１を有し、なお、前記放熱フィン組２を台座１に嵌めるように前記各放熱フィン２１の底部は前記台座１の収容窪み１１のなかに嵌められている。
【００１１】
前記放熱フィン組２の頂端の中央部は案内部材４を嵌めるための嵌め溝２４を有し、前記案内部材４の両側は別々に前記各放熱フィン２１のギャップ２２に挿入された多数の案内片４１を有し、本実施例では、前記各案内片４１は前記各ギャップ２２の頂端から下へ傾斜して底端まで伸び、前記ギャップ２２のなかのエアの流動方向を案内する。
【００１２】
これにより、図４に示すように、上記構成の放熱モジュールを放熱必要な部材（例えば、パソコンのＣＰＵまたは熱伝導リード）に組み付けることができる。本実施例では、前記放熱モジュールの台座１はパソコンのＣＰＵ５に取り付けられ、且つ、前記放熱モジュールの放熱フィン組２の頂端には放熱ファン６が設けられており、前記放熱ファン６の回転によりエアを前記放熱フィン組２の各放熱フィン２１のギャップ２２のなかで流動させ、各放熱フィン２１まで伝導されてきた熱を放熱する。
【００１３】
該案内部材４の案内片４１は各放熱フィン２１のギャップ２２の頂端の中央部から両側へ傾斜して下向きに伸びるため、前記放熱ファン４の回転によりエアは前記流れ案内面４１に沿って外側へ流出し、エアは前記ギャップ２２のなかで環流を形成せず、ひいては、各放熱フィン２１まで伝導されてきた熱を有効に放熱して温度を低減し、より優れた放熱効果を得ることができる。
【００１４】
図５に示すのは、本考案の他の実施例であり、前記放熱フィン組２は多数の中空でない放熱フィン２１を有し、前記各放熱フィン２１の底部はそれぞれ底面２５により連接され、且つ、前記案内部材４が嵌められているために、前記放熱フィン組２の頂端の中央部は該嵌め溝２４を有する。前記案内部材４により各放熱フィン２１まで伝導されてきた熱を快速に放熱することができる。
【００１５】
この考案は次のような効果がある。
該案内部材の案内片は各放熱フィンのギャップの頂端の中央部から両側へ傾斜して下向きに伸びるため、エアが前記流れ案内面に沿って外側へ流出し、エアは前記ギャップのなかで環流を形成せず、ひいては、各放熱フィンまで伝導されてきた熱を有効に放熱して温度を低減し、より優れた放熱効果を得ることができる。
【図面の簡単な説明】
【図１】本考案の一実施例による放熱モジュールを示す斜視図である。
【図２】本考案の一実施例による放熱モジュールを示す分解斜視図である。
【図３】本考案の一実施例による放熱モジュールを示す断面図である。
【図４】本考案の一実施例による放熱モジュールの案内片によりエアを案内する状態を示す模式図である。
【図５】本考案の他の実施例による放熱モジュールを示す分解斜視図である。
【図６】従来の放熱モジュールを示す模式図である。
【符号の説明】
１　　台座
２　　放熱フィン組
３　　嵌合ブロック
４　　案内部材
６　　放熱ファン
１１　　収容窪み
２１　　放熱フィン
２２　　ギャップ
２３　　連接面
２４　　嵌め溝
２５　　底面
３１　　嵌め溝
４１　　案内片
【図１】
0003096855.tif 000003
【図２】
0003096855.tif 000004
【図３】
0003096855.tif 000005
【図４】
0003096855.tif 000006
【図５】
0003096855.tif 000007
【図６】
0003096855.tif 000008